(57)【要約】【課題】  熟練を要することなく、素人でも簡単かつ安全に建築物の骨組みを組み立てることができ、又、屋根傾斜材として型鋼材と木材の複合材を使用することで強度を向上させながら、釘打ちによる取付けを可能にさせ、日曜大工のレベルで施工できるようにした屋根用骨組み材の提供。【解決手段】  屋根の傾斜方向に延長させる屋根傾斜材１０の上端に合掌用板１１が固定されると共に、前記屋根傾斜材の下端に柱用連結筒１２が固定され、屋根傾斜材が、上面開口部が形成された型鋼材１０ａの内部に、上面が前記型鋼材の上面開口部よりも上方に突出するように、この型鋼材の内部に木材１０ｂが嵌め込まれて形成されている。【選択図】  図２
0003106773.tif 000002
【実用新案登録請求の範囲】
【請求項１】
屋根の傾斜方向に延長させる屋根傾斜材の上端に合掌用板が固定されると共に、前記屋根傾斜材の下端に柱用連結筒が固定され、
前記屋根傾斜材が、上面開口部が形成された型鋼材の内部に、上面が前記型鋼材の上面開口部よりも上方に突出するように、この型鋼材の内部に木材が嵌め込まれて形成されていることを特徴とした屋根用骨組み材。
【請求項２】
屋根の傾斜方向に延長させる屋根傾斜材の上端に合掌用板が固定されると共に、前記屋根傾斜材の下端に柱用連結筒が固定されている一対の屋根用骨組み材と、基礎に立設された一対の木柱とで構成された骨組み枠を備え、
前記屋根傾斜材が、上面開口部が形成された型鋼材の内部に、上面が前記型鋼材の上面開口部よりも上方に突出するように、この型鋼材の内部に木材が嵌め込まれて形成されている建物の簡易骨組み構造であって、
前記一対の屋根用骨組み材は、合掌用板同士を面合結合させた状態で連結され、
前記一対の木柱は、下端を基礎の上に固定させた基礎連結金具の柱用嵌合筒内に嵌合結合させた状態で基礎に立設されると共に、上端を前記屋根用骨組み材の柱用連結筒内に嵌合結合させた状態で屋根用骨組み材に連結されていることを特徴とした建物の簡易骨組み構造。
【請求項３】
屋根の傾斜方向に延長させる屋根傾斜材の上端に合掌用板が固定されると共に、前記屋根傾斜材の下端に柱用連結筒が固定されている屋根用骨組み材と、基礎に立設された木柱とで構成された骨組み枠を備え、
前記屋根傾斜材が、上面開口部が形成された型鋼材の内部に、上面が前記型鋼材の上面開口部よりも上方に突出するように、この型鋼材の内部に木材が嵌め込まれて形成されている簡易骨組み構造であって、
前記屋根用骨組み材は、合掌用板を既設建物の外壁面に面合結合させた状態で連結され、
前記木柱は、下端を基礎の上に固定させた基礎連結金具の柱用嵌合筒内に嵌合結合させた状態で基礎に立設されると共に、上端を前記屋根用骨組み材の柱用連結筒内に嵌合結合させた状態で屋根用骨組み材に連結されていることを特徴とした建物の簡易骨組み構造。
【請求項４】
屋根の傾斜方向に延長させる屋根傾斜材の上端及び下端に柱用連結筒がそれぞれ固定され、
前記屋根傾斜材が、上面開口部が形成された型鋼材の内部に、上面が前記型鋼材の上面開口部よりも上方に突出するように、この型鋼材の内部に木材が嵌め込まれて形成されていることを特徴とした屋根用骨組み材。
【請求項５】
屋根の傾斜方向に延長させる屋根傾斜材の上端及び下端に柱用連結筒がそれぞれ固定されている屋根用骨組み材と、基礎に立設された一対の木柱とで構成された骨組み枠を備え、
前記屋根傾斜材が、上面開口部が形成された型鋼材の内部に、上面が前記型鋼材の上面開口部よりも上方に突出するように、この型鋼材の内部に木材が嵌め込まれて形成されている簡易骨組み構造であって、
前記一対の木柱は、下端を基礎の上に固定させた基礎連結金具の柱用嵌合筒内に嵌合結合させた状態で基礎に立設されると共に、上端を前記屋根用骨組み材の柱用連結筒内に嵌合結合させた状態で屋根用骨組み材に連結されていることを特徴とした建物の簡易骨組み構造。
【請求項６】
請求項２又は３又は５記載の建物の簡易骨組み構造において、
前記骨組み枠が棟方向に３体以上で配設され、その隣り合う３体の骨組み枠の間に組み付けられる開口部用梁材を備え、
この開口部用梁材は、両端に柱連結板が固定されると共に、中央部に柱用連結筒が固定され、
前記３体の骨組み枠における中央骨組み枠の木柱は、壁面開口部の高さで下側部分が切除された垂下木柱に形成され、
前記開口部用梁材は、両端の柱連結板を３体の骨組み枠における両側骨組み枠の木柱に面合結合させた状態で両木柱間に連結されると共に、中央部の柱用連結筒内に前記垂下木柱を嵌合結合させた状態で連結されて、この開口部用梁材と、両側骨組み枠の木柱とで囲まれた壁面開口部が形成されている建物の簡易骨組み構造。
【考案の詳細な説明】
【技術分野】
【０００１】
本考案は、建物の骨組み用建材としての屋根用骨組み材、及びこの屋根用骨組み材を用いた建物の簡易骨組み構造に関する。
【背景技術】
【０００２】
一般に、建物は、大工、鉄骨業者などの熟練工によって建築されている。
ところが、農業従事者や休日を利用した会社員など、個人で物作りをする人達が増えている現在では、利便性を考慮して多くの建築用資材がホームセンター等で販売されている。
【０００３】
しかしながら、本格的に建物を建築するとなると、特に、屋根の合掌部分は素人には施工が難しく、あきらめている人が多いのが実情である。
【０００４】
又、従来、片面に開口部が形成された型鋼材の内部に、前記型鋼材の開口部から突出するように、この型鋼材の内部に木材が嵌め込まれて形成されている建築用の骨組み材が知られている（特許文献１参照）。
【０００５】
この従来の骨組み材は、型鋼材と木材を組み合わせた複合材であり、木材によって釘打ちができるようにしたものであった。
【０００６】
しかしながら、従来の骨組み材は、屋根傾斜材、柱、間柱、梁等に使用される単なる一本の材料であり、例えば、屋根傾斜材同士を合掌結合させたり、屋根傾斜材と柱を結合させるといった際の施工を簡単にするための工夫はない。
【特許文献１】特開昭４９−３６１１４号公報
【考案の開示】
【考案が解決しようとする課題】
【０００７】
本考案は、熟練を要することなく、素人でも簡単かつ安全に建築物の骨組みを組み立てることができ、又、屋根傾斜材として型鋼材と木材の複合材を使用することで強度を向上させながら、釘打ちによる取付けを可能にさせ、日曜大工のレベルで施工できるようにした屋根用骨組み材及び建物の簡易骨組み構造を提供することを課題としている。
【課題を解決するための手段】
【０００８】
上記の課題を解決するために、本考案（請求項１）の屋根用骨組み材は、
屋根の傾斜方向に延長させる屋根傾斜材の上端に合掌用板が固定されると共に、前記屋根傾斜材の下端に柱用連結筒が固定され、
前記屋根傾斜材が、上面開口部が形成された型鋼材の内部に、上面が前記型鋼材の上面開口部よりも上方に突出するように、この型鋼材の内部に木材が嵌め込まれて形成されている構成とした。
【０００９】
又、本考案（請求項２）の建物の簡易骨組み構造は、前記請求項１記載の屋根用骨組み材を用いた簡易骨組み構造であって、
屋根の傾斜方向に延長させる屋根傾斜材の上端に合掌用板が固定されると共に、前記屋根傾斜材の下端に柱用連結筒が固定されている一対の屋根用骨組み材と、基礎に立設された一対の木柱とで構成された骨組み枠を備え、
前記屋根傾斜材が、上面開口部が形成された型鋼材の内部に、上面が前記型鋼材の上面開口部よりも上方に突出するように、この型鋼材の内部に木材が嵌め込まれて形成されている建物の簡易骨組み構造であって、
前記一対の屋根用骨組み材は、合掌用板同士を面合結合させた状態で連結され、
前記一対の木柱は、下端を基礎の上に固定させた基礎連結金具の柱用嵌合筒内に嵌合結合させた状態で基礎に立設されると共に、上端を前記屋根用骨組み材の柱用連結筒内に嵌合結合させた状態で屋根用骨組み材に連結されている構成とした。
【００１０】
又、本考案（請求項３）の建物の簡易骨組み構造は、前記請求項１記載の屋根用骨組み材を用いた簡易骨組み構造であって、
屋根の傾斜方向に延長させる屋根傾斜材の上端に合掌用板が固定されると共に、前記屋根傾斜材の下端に柱用連結筒が固定されている屋根用骨組み材と、基礎に立設された木柱とで構成された骨組み枠を備え、
前記屋根傾斜材が、上面開口部が形成された型鋼材の内部に、上面が前記型鋼材の上面開口部よりも上方に突出するように、この型鋼材の内部に木材が嵌め込まれて形成されている簡易骨組み構造であって、
前記屋根用骨組み材は、合掌用板を既設建物の外壁面に面合結合させた状態で連結され、
前記木柱は、下端を基礎の上に固定させた基礎連結金具の柱用嵌合筒内に嵌合結合させた状態で基礎に立設されると共に、上端を前記屋根用骨組み材の柱用連結筒内に嵌合結合させた状態で屋根用骨組み材に連結されている構成とした。
【００１１】
又、本考案（請求項４）の屋根用骨組み材は、
屋根の傾斜方向に延長させる屋根傾斜材の上端及び下端に柱用連結筒がそれぞれ固定され、
前記屋根傾斜材が、上面開口部が形成された型鋼材の内部に、上面が前記型鋼材の上面開口部よりも上方に突出するように、この型鋼材の内部に木材が嵌め込まれて形成されている構成とした。
【００１２】
又、本考案（請求項５）の建物の簡易骨組み構造は、前記請求項４記載の屋根用骨組み材を用いた簡易骨組み構造であって、
屋根の傾斜方向に延長させる屋根傾斜材の上端及び下端に柱用連結筒がそれぞれ固定されている屋根用骨組み材と、基礎に立設された一対の木柱とで構成された骨組み枠を備え、
前記屋根傾斜材が、上面開口部が形成された型鋼材の内部に、上面が前記型鋼材の上面開口部よりも上方に突出するように、この型鋼材の内部に木材が嵌め込まれて形成されている簡易骨組み構造であって、
前記一対の木柱は、下端を基礎の上に固定させた基礎連結金具の柱用嵌合筒内に嵌合結合させた状態で基礎に立設されると共に、上端を前記屋根用骨組み材の柱用連結筒内に嵌合結合させた状態で屋根用骨組み材に連結されて構成とした。
【００１３】
また、前記請求項２又は３又は５記載の建物の簡易骨組み構造において、
前記骨組み枠が棟方向に３体以上で配設され、その隣り合う３体の骨組み枠の間に組み付けられる開口部用梁材を備え、
この開口部用梁材は、両端に柱連結板が固定されると共に、中央部に柱用連結筒が固定され、
前記３体の骨組み枠における中央骨組み枠の木柱は、壁面開口部の高さで下側部分が切除された垂下木柱に形成され、
前記開口部用梁材は、両端の柱連結板を３体の骨組み枠における両側骨組み枠の木柱に面合結合させた状態で両木柱間に連結されると共に、中央部の柱用連結筒内に前記垂下木柱を嵌合結合させた状態で連結されて、この開口部用梁材と、両側骨組み枠の木柱とで囲まれた壁面開口部が形成されている態様がある。
【考案の効果】
【００１４】
本考案では、屋根傾斜材に合掌用板や柱用連結筒を固定させた屋根用骨組み材を用いているため、熟練を要することなく、素人でも簡単かつ安全に建築物の骨組みを組み立てることができる。
又、屋根傾斜材が型鋼材と木材との複合材であるため、型鋼材を使用することによる強度向上を図りながら、木材を使用することによって屋根のタル木を釘打により取り付けることができ、日曜大工のレベルで建物の骨組み施工ができるという効果が得られる。
【考案を実施するための最良の形態】
【００１５】
以下、本考案の実施の形態を図面に示す実施例により説明する。
図１は本考案の請求項１記載の屋根用骨組み材及び請求項２記載の簡易骨組み構造に対応した第１実施例にかかる簡易骨組み構造を妻面側から見た側面図、図２はその簡易骨組み構造の分解斜視図、図３は図１Ａ−Ａ断面図、図４は図１Ｂ部の拡大断面図、図５は図１Ｃ−Ｃ矢視図、図６は図１Ｄ−Ｄ矢視図である。
【００１６】
図において、１は屋根用骨組み材で、屋根の傾斜方向に延長させる屋根傾斜材１０の上端に合掌用板１１が固定されると共に、前記屋根傾斜材１０の下端に柱用連結筒１２が固定されている。
前記屋根傾斜材１０は、図２及び図３に示すように、型鋼材１０ａと木材１０ｂとの複合材であり、上面開口部が形成された型鋼材１０ａの内部に、上面が前記型鋼材１０ａの上面開口部よりも上方に突出するように、この型鋼材１０ａの内部に木材１０ｂが嵌め込まれて形成されている。
この場合、木材１０ｂの両面に長手方向に延長して細溝１８を形成し、この細溝１８に型鋼材１０ａのリップ片１４を嵌め込んで、型鋼材１０ａと木材１０ｂとを一体化させるようにしている。
【００１７】
このように、屋根傾斜材１０を型鋼材１０ａと木材１０ｂとの複合材に形成したので、木材１０ｂを使用することによって屋根のタル木等（図示省略）を釘打により取り付けることができるし、木材１０ｂによって型鋼材１０ａを補強でき、全体的強度を向上させることができる。
【００１８】
前記屋根用骨組み材１は、木柱２との結合によって骨組み枠Ｈを形成するもので、この骨組み枠Ｈは、一対の屋根用骨組み材１，１と、基礎に立設された一対の木柱２，２とで構成されている。
この場合、一対の屋根用骨組み材１，１同士は、上端に固定した合掌用板１１，１１同士をボルト９０とナットにより面合結合させた状態で連結される。
また、一対の木柱２，２は、その下端を基礎３の上にアンカーボルト３０とナット３１で固定させた基礎連結金具４の柱用嵌合筒４０内にボルト９１とナットにより嵌合結合させた状態で基礎３に立設され、かつ上端を前記屋根用骨組み材１の柱用連結筒１２内にボルト９２とナットにより嵌合結合させた状態で屋根用骨組み材１に連結される。
【００１９】
なお、前記基礎連結金具４は、ベース板４１の上に柱用嵌合筒４０が固定されたもので、基礎３の上にアンカーボルト３０とナット３１で固定される。なお、基礎３のコーナ部に用いる基礎連結金具（図示省略）は、ベース板４１を直角に形成させ、その角位置に柱用嵌合筒４０を固定させることになる。
【００２０】
このように、屋根傾斜材１０に合掌用板１１と柱用連結筒１２を固定した屋根用骨組み材１を用いているため、屋根用骨組み材１，１同士の合掌結合、屋根用骨組み材１と木柱２との結合が簡単できる。
又、基礎連結金具４を用いているため、木柱２を基礎３上に簡単に立設させることがでできる。
【００２１】
なお、前記屋根用骨組み材１，１の間には、パイプトラス材１３が渡されており、図４に示すように、パイプトラス材１３の両端をそれぞれ屋根傾斜材１０の下面にＵ字ボルト９３とナット９４で結合させている。
なお、前記Ｕ字ボルト９３は、型鋼材１０ａと木材１０ｂとの隙間Ｓを利用して取り付けられている。
このように、パイプトラス材１３を設けることで、合掌結合された屋根用骨組み材１，１同士の結合を補強することができる。
【００２２】
又、棟方向（図１の紙面表裏方向）に隣り合う骨組み枠Ｈ，Ｈ間は、図５に示すように屋根用筋交い５により連結されると共に、図６に示すように壁用筋交い６により連結されている。
【００２３】
図５で示した屋根用筋交い５は、屋根傾斜材１０の下面に上端側ブラケット５０及び下端側ブラケット５１をボルト９５によって固定し、隣り合う骨組み枠Ｈ，Ｈ間において、上端側ブラケット５０と下端側ブラケット５１の間にたすき掛け状態に連結されている。
なお、図３に示すように、前記上端側ブラケット５０及び下端側ブラケット５１を固定するためのボルト９５を、型鋼材１０ａを貫通して木材１０ｂに螺合させるようにしており、これにより、型鋼材１０ａに対する木材１０ｂの固定を確実にさせている。
【００２４】
図６で示した壁用筋交い６は、隣り合う屋根用骨組み材１，の柱用連結筒１２，１２間にアングル型鋼による柱つなぎ材１５を連結させ、隣り合う骨組み枠Ｈ，Ｈ間において、柱つなぎ材１５と基礎連結金具４の柱用嵌合筒４０の間にたすき掛け状態に連結されている。
【００２５】
このように、棟方向に隣り合う骨組み枠Ｈ，Ｈを、屋根用筋交い５及び壁用筋交い６により連結させたので、簡単な施工で建物の骨組み構造全体を補強することができる。
【００２６】
次に、図７〜図１２は骨組み枠の他の実施例を示している。
図７及び図８で示す骨組み枠Ｈは、図１で示した第１実施例の骨組み枠Ｈと比べて、屋根用骨組み材１の屋根傾斜材１０の長さを長く形成させたもので、図７の骨組み枠Ｈでは、パイプトラス材１３が長くなることに対応して途中の左右２ヶ所に傾斜パイプ１３ａを連結させ、又、図８の骨組み枠Ｈでは、パイプトラス材１３が更に長くなることに対応して途中の左右２ヶ所及び中央部に傾斜パイプ１３ａ，１３ｂを連結させている。
【００２７】
図９で示す骨組み枠Ｈは、長さの異なる屋根傾斜材１０−１，１０−２を用いた屋根用骨組み材１，１同士を合掌結合させたもので、この場合、パイプトラス材１３は、長さが短い方の屋根傾斜材１０−１に対応させるため、長さが長い方の屋根傾斜材１０−２には、補強パイプ材１３ｃを取り付けて補強している。
この補強パイプ材１３ｃは、図１０に示すように、屋根傾斜材１０−２の下面に沿うように、Ｕ字ボルト９６とナット９７で結合されると共に、その先端を絞り加工して形成した小径部１３ｄをパイプトラス材１３の中に嵌合させた取付け構造になっている。
【００２８】
なお、屋根用骨組み材１の屋根傾斜材１０の長さが長くなると、台風や強風時に横揺れが生じ易くなるため、図１１に示すように、屋根傾斜材１０と木柱２の入り隅部にコーナ補強パイプ１３ｅを渡すようにしている。
このコーナ補強パイプ１３ｅは、パイプ下端に固定したブラケット１３ｆを木柱２の内面にビス等で締結させ、パイプ先端に絞り加工で形成した小径部１３ｇをパイプトラス材１３の端部に嵌合させ、パイプ中程に固定したブラケット１３ｈを屋根用骨組み材１の入り隅補強板１９にボルトとナットで取付けた構造になっている。
【００２９】
図１２で示す骨組み枠Ｈａは、母屋の片方（両方も可能）に下屋を降ろすための骨組み枠Ｈａで、母屋用の屋根用骨組み材１の下端に下屋用の屋根用骨組み材１ａの上端を結合させたもので、この下屋用の屋根用骨組み材１ａは、屋根傾斜材１０の上端に合掌用板１１ａが固定され、下端に柱用連結筒１２ａが固定されている。
この場合、母屋用の柱用連結筒１２に下屋用の合掌用板１１ａを結合させ、かつ下屋用の柱用連結筒１２ａに木柱２の上端を嵌合結合させると共に、木柱２の下端を基礎３の上に固定した基礎連結金具４の柱用嵌合筒４０内に嵌合結合させている。
このように、母屋用の柱用連結筒１２に対して下屋用の合掌用板１１ａを結合できるようにするために、母屋用の柱用連結筒１２の結合穴と、合掌用板１１ａの結合穴を同一穴径及び同一ピッチに形成されている。
【００３０】
以上のように、屋根傾斜材１０の長さが異なる複数種の屋根用骨組み材１を規格化して用意しておくと、消費者は、建物を建築する現場の地形に応じてサイズを選択することができるようになる。
なお、サイズが異なる複数種の屋根用骨組み材１及び関連部品を規格化する際には、部品の共通化、パイプトラス材の水平配置、結合穴同士の位置符合性等を考慮して、結合穴の穴径や位置（ピッチ等）を設定することは当然である。
【００３１】
なお、前記図７〜図１２で示した各骨組み枠において、その他の構成は第１実施例の骨組み枠と同様である。
【００３２】
次に、図１３は本考案の請求項３記載の簡易骨組み構造に対応した第２実施例にかかる簡易骨組み構造を妻面側から見た側面図である。
この簡易骨組み構造は、屋根用骨組み材１を既設建物７に片流れ傾斜状に結合させたもので、屋根用骨組み材１の合掌用板１１を既設建物７の外壁面７０に面合結合させ、かつ柱用連結筒１２に木柱２の上端を嵌合結合させると共に、木柱２の下端を基礎３の上に固定した基礎連結金具４の柱用嵌合筒４０内に嵌合結合させている。
この第２実施例で示した骨組み枠Ｈにおいて、その他の構成は第１実施例の骨組み枠と同様である。
【００３３】
次に、図１４は本考案の請求項４記載の屋根用骨組み材及び請求項５記載の簡易骨組み構造に対応した第３実施例にかかる簡易骨組み構造を妻面側から見た側面図である。
【００３４】
この場合の屋根用骨組み材１Ａは、屋根の傾斜方向に延長させる屋根傾斜材１０の上端及び下端に柱用連結筒１２，１２がそれぞれ固定されている。
前記屋根傾斜材１０は、上面開口部が形成された型鋼材１０ａの内部に、上面が前記型鋼材１０ａの上面開口部よりも上方に突出するように、この型鋼材１０ａの内部に木材１０ｂが嵌め込まれて形成されている点は同様である。
また、この屋根用骨組み材１Ａでは、屋根傾斜材１０と平行に型鋼材による下側傾斜材１６が設けられ、この下側傾斜材１６と屋根傾斜材１０との間をトラス材１７で連結させて、全体強度を補強させている。
【００３５】
この屋根用骨組み材１Ａは、基礎３に立設された一対の木柱２とで骨組み枠Ｈに構成される。
この場合、一対の木柱２，２を、その下端を基礎３の上に固定させた基礎連結金具４の柱用嵌合筒４０内に嵌合結合させることで基礎３に立設させ、かつ上端を前記屋根用骨組み材１Ａの柱用連結筒１２内に嵌合結合させることで、屋根傾斜材１０を片流れ傾斜状に設置させるようになっている。
【００３６】
次に、図１５は本考案の請求項６記載の簡易骨組み構造に対応した第４実施例にかかる簡易骨組み構造を棟面側から見た側面図である。
【００３７】
この簡易骨組み構造では、骨組み枠Ｈが棟方向に３体以上で配設され、その隣り合う３体の骨組み枠Ｈの間に組み付けられる開口部用梁材８を備えている。
【００３８】
前記開口部用梁材８は、両端に柱連結板８０が固定されると共に、中央部に柱用連結筒８１が固定されている。
又、前記開口部用梁材８は、型鋼材による上下梁材８ａ，８ａがトラス材８２で連結されたもので、全体強度を補強させると共に、外面又は内面にシャッターを取り付けることができるように、梁の面が平面をなすように形成されている。
【００３９】
又、前記３体の骨組み枠Ｈにおける中央骨組み枠Ｈｂの木柱２は、壁面開口部９の高さで下側部分が切除された垂下木柱２ａに形成されている。
【００４０】
そして、前記開口部用梁材８を、両端の柱連結板８０を３体の骨組み枠Ｈにおける両側骨組み枠の木柱２に面合結合させた状態で両木柱２，２間に連結させ、かつ中央部の柱用連結筒８１内に前記垂下木柱２ａを嵌合結合させている。
このように、開口部用梁材８を用いることにより、この開口部用梁材８と、両側骨組み枠Ｈ，Ｈの木柱２，２とで囲まれた壁面開口部９を容易に形成することができる。
【図面の簡単な説明】
【００４１】
【図１】本考案の請求項１記載の屋根用骨組み材及び請求項２記載の簡易骨組み構造に対応した第１実施例にかかる簡易骨組み構造を妻面側から見た側面図である。
【図２】その簡易骨組み構造の分解斜視図である
【図３】図１Ａ−Ａ断面図である。
【図４】図１Ｂ部の拡大断面図である。
【図５】図１Ｃ−Ｃ矢視図である。
【図６】図１Ｄ−Ｄ矢視図である。
【図７】骨組み枠の他の実施例を示す側面図である。
【図８】骨組み枠の他の実施例を示す側面図である。
【図９】骨組み枠の他の実施例を示す側面図である。
【図１０】補強パイプ材の取り付け構造を示す断面図である。
【図１１】コーナ補強パイプの取り付け構造を示す側面図である。
【図１２】骨組み枠の他の実施例を示す側面図である。
【図１３】本考案の請求項３記載の簡易骨組み構造に対応した第２実施例にかかる簡易骨組み構造を妻面側から見た側面図である。
【図１４】本考案の請求項４記載の屋根用骨組み材及び請求項５記載の簡易骨組み構造に対応した第３実施例にかかる簡易骨組み構造を妻面側から見た側面図である。
【図１５】本考案の請求項６記載の簡易骨組み構造に対応した第４実施例にかかる簡易骨組み構造を棟面側から見た側面図である。
【符号の説明】
【００４２】
１  屋根用骨組み材
１０  屋根傾斜材
１０ａ  型鋼材
１０ｂ  木材
１１  合掌用板
１２  柱用連結筒
１３  パイプトラス材
１５  柱つなぎ材
１６  下側傾斜材
１７  トラス材
２  木柱
２ａ  垂下木柱
３  基礎
４  基礎連結金具
４０  柱用嵌合筒
４１  ベース板
５  屋根用筋交い
５０  上端側ブラケット
５１  下端側ブラケット
６  壁用筋交い
７  既設建物
７０  外壁面
８  開口部用梁材
８０  柱連結板
８１  柱用連結筒
９  壁面開口部
Ｈ  骨組み枠
【図１】
0003106773.tif 000003
【図２】
0003106773.tif 000004
【図３】
0003106773.tif 000005
【図４】
0003106773.tif 000006
【図５】
0003106773.tif 000007
【図６】
0003106773.tif 000008
【図７】
0003106773.tif 000009
【図８】
0003106773.tif 000010
【図９】
0003106773.tif 000011
【図１０】
0003106773.tif 000012
【図１１】
0003106773.tif 000013
【図１２】
0003106773.tif 000014
【図１３】
0003106773.tif 000015
【図１４】
0003106773.tif 000016
【図１５】
0003106773.tif 000017